(57)【要約】【課題】シアン化合物で汚染された水を浄化するにあたって、高価なキレート剤を用いることなく、かつ、シアノ錯体の除去能力を長く保つことができる、汚染水浄化方法を提供すること。【解決手段】シアン化合物で汚染された水を、シアン化合物処理剤を備えた浄化設備により浄化する汚染水浄化方法であって、前記シアン化合物処理剤は、鉄、および乳化植物油を含有することを特徴とする、汚染水浄化方法。【選択図】図１
2019198841.tif 000002
【特許請求の範囲】
【請求項１】
シアン化合物で汚染された水を、シアン化合物処理剤を備えた浄化設備により浄化する汚染水浄化方法であって、前記シアン化合物処理剤は、鉄、および乳化植物油を含有することを特徴とする、汚染水浄化方法。
【請求項２】
さらに、前記シアン化合物処理剤は、鉄以外の吸着剤を含有することを特徴とする、請求項１記載の汚染水浄化方法。
【請求項３】
前記浄化設備は、土壌に含まれる地下水を浄化するための設備であって、前記地下水が流れる下流側に設けられた、前記シアン化合物処理剤を混合させた浄化壁を有し、前記浄化壁は、壁中を透過する前記地下水中のシアン化合物を前記シアン化合物処理剤によって吸着除去することを特徴とする、請求項１または２記載の汚染水浄化方法。
【発明の詳細な説明】
【技術分野】
【０００１】
本発明は、汚染水浄化方法、具体的には、シアン化合物で汚染された汚染水の浄化方法に関する。
【背景技術】
【０００２】
シアン化合物は、土壌対策汚染法においては第二種特定有害物質に分類されるものであり、シアン化カリウム（いわゆる青酸）等を代表とする、非常に毒性の強い化合物である。
【０００３】
工場などで発生するシアン化合物は、土壌中の鉄と結合し、シアノ錯体を形成する。シアノ錯体は、土壌中に鉄イオンなどの金属塩があれば、塩沈殿物を形成して不溶化することができる。一方、塩沈殿物に至らずに土壌環境中に残存するシアノ錯体も存在する（非特許文献１参照）。
【０００４】
そして、残存したシアノ錯体が土壌から浸み出して地下水を汚染し、汚染された地下水が敷地外に流れ出ることによって、深刻な環境汚染を発生させる結果となる。
【０００５】
地下水の汚染を防ぐためには、地下水の下流側に浄化壁を設ける方法や、浄化壁の成分としてキレート剤を使用することによって、シアノ錯体をトラップする方法が知られている。
【０００６】
しかしながら、キレート剤は高価である。さらに、地下水中の鉄等の溶存物質によって消費され、あるいは劣化するため、浄化壁におけるシアノ錯体の除去能力が落ちるという課題があった。この場合に、キレート剤を含有する浄化壁を再度施工し直すことが考えられるが、それには、多額のコストがかかるという課題がある。
【先行技術文献】
【非特許文献】
【０００７】
【非特許文献１】公害防止の技術と法規編集委員会，”五訂  公害防止の技術と法規「水質編」”，（社）産業環境管理協会，平成７年５月
【発明の概要】
【発明が解決しようとする課題】
【０００８】
このような課題を踏まえ、高価なキレート剤を用いることなく、かつ、シアノ錯体の除去能力を長く保つことができる、汚染水浄化方法を提供することを目的とする。
【課題を解決するための手段】
【０００９】
本発明者は、前述の目的を達成するため、鋭意検討の結果、本発明にかかる浄化方法に想到した。
【００１０】
すなわち本発明は、シアン化合物で汚染された水を、シアン化合物処理剤を備えた浄化設備により浄化する汚染水浄化方法であって、前記シアン化合物処理剤は、乳化植物油、および鉄を含有することを特徴とする、汚染水浄化方法である。
【００１１】
前記シアン化合物処理剤は、鉄以外の吸着剤を含有することが好ましい。
【００１２】
前記浄化設備としては、土壌に含まれる地下水を浄化するための設備であって、前記地下水が流れる下流側に設けられた、前記シアン化合物処理剤を混合させた浄化壁が挙げられる。前記浄化壁は、壁中を透過する前記地下水中のシアン化合物を前記シアン化合物処理剤によって吸着除去するものである。
【発明の効果】
【００１３】
本発明の汚染水浄化方法を用いることによって、高価なキレート剤を用いることなく、かつ、シアノ錯体の除去能力を長く保つことが可能となった。
【図面の簡単な説明】
【００１４】
【図１】汚染水浄化方法の一形態を示す図である。
【図２】汚染水浄化方法の一形態を示す図である。
【図３】実施例の構成の概略図である。
【図４】実施例１の結果を示すグラフである。
【図５】比較例１の結果を示すグラフである。
【図６】実施例２の結果を示すグラフである。
【図７】比較例２の結果を示すグラフである。
【発明を実施するための形態】
【００１５】
以下、本発明の一形態について説明するが、本発明の範囲は、実施例を含めた当該記載に限定されるものではない。
【００１６】
＜シアン化合物＞
本発明の除去対象である汚染物質はシアン化合物である。シアン化合物としては、シアン化水素、シアン化カリウム、シアン化ナトリウム等の有機シアン化合物が挙げられる。また、本発明でいう「シアン化合物」は、シアノ錯体、および、分解によって有機シアン化合物が発生する危険性を有する、金属原子と錯化合物を形成したフェリシアン、フェロシアン化合物といった無機シアン化合物も含むものとする。
【００１７】
＜シアン化合物処理剤＞
シアン化合物処理剤は、シアノ錯体を鉄によって不溶化する機能、および経時によって失われる鉄の不溶化機能を回復させる機能を有することが必要である。また、鉄によって不溶化されたシアノ錯体を吸着するための吸着剤としての機能が必要である。
【００１８】
そのような機能を有するシアン化合物処理剤の一例としては、本発明の構成のように、少なくとも鉄および乳化植物油を含有するものが挙げられる。以下、鉄、および乳化植物油について説明する。
【００１９】
＜鉄＞
鉄は、鉄イオンによってシアノ錯体を不溶化するための剤である。
【００２０】
鉄は、鉄粉などの単体のみならず、硫酸鉄や硫化鉄などの鉄化合物もその範囲に含む。鉄粉を用いる場合、当該鉄粉は吸着剤としての機能も有する。
【００２１】
＜乳化植物油＞
シアン化合物処理剤は、経時によって、その処理性能が落ちてしまうおそれがある。具体的な理由としては、地下水中の酸素との接触によって、鉄が酸化されて、鉄イオンの供給ができなくなる可能性などが考えられる。
【００２２】
そこで、本発明においては、シアン化合物処理剤の処理性能を回復させる還元剤を用いる。還元剤を添加することによって、鉄が存在する領域およびその付近の還元雰囲気を作ることができる。結果、鉄が還元されて、鉄イオンの供給を回復することができる。
【００２３】
還元剤としては、長期間その効果を持続させるため、および、安全性や二次汚染防止の点から、乳化植物油を用いる。乳化植物油の中でも、地盤への浸透性の高い、乳化粒子の微細な乳化植物油が好ましい。
【００２４】
＜吸着剤＞
吸着剤とは、鉄によって不溶化されたシアノ錯体を吸着するための剤である。鉄によって不溶化されたシアノ錯体を吸着することにより、シアン化合物の流出による環境汚染を阻止することができる。吸着剤としては、たとえば土系（粘土系）の鉱物が、吸着剤が機能する寿命を延ばす効果が大きい点で好ましいが、シアン化合物の吸着効果を有するものであれば、これらに限られるものではない。なお、先に述べた通り、鉄粉を吸着剤として用いることもできる。
【００２５】
＜シアン化合物処理剤のその他の組成＞
また、本発明のシアン化合物処理剤に関し、乳化植物油、および鉄以外にも、浄化性能を損なわない範囲で、色々な剤を含んでいてもよい。たとえば、通水性を確保するために珪砂を使用できる。その他、鉄粉の吸着効率を向上させたり、鉄粉を分離回収しやすくしたりするための、各種溶媒、添加剤などを使用することができる。
【００２６】
＜浄化設備＞
浄化設備は、シアン化合物によって汚染された汚染水を浄化する設備である。浄化設備の一例としては、汚染された地下水が敷地外に流れ出ることを防ぐための浄化壁が挙げられる。
【００２７】
図１に、浄化設備として浄化壁を用いた場合の例を示す。工場敷地内５の地下には、シアン化合物によって汚染された地下水１が存在する。シアン化合物処理剤は、浄化壁を作製する際に内部に混入される。シアン化合物処理剤が混入された浄化壁２は、たとえば工場敷地内５と工場敷地外７との境界に、地下水１の全てが浄化壁２を通過するように、地中を掘削して設置される。地下水１が浄化壁２を通過する際、地下水１中のシアン化合物が浄化壁２によって吸着される。その結果、地下水１からシアン化合物が除去される。したがって、工場敷地外７には、シアン化合物を含まない清浄な地下水３が放出される。
【００２８】
また、浄化設備に対するシアン化合物処理剤の供給は、たとえば浄化壁とは別に、乳化植物油の供給設備を設けること等により行うこともできる。供給設備の一例として、地下に設置する注入井戸を挙げる。図２は、地下に設置された浄化壁１２及び注入井戸１３を上側から見た図である。図２の例において、注入井戸１３は、浄化壁１２に対して、地下水の流れ（矢印１１）の上流側に複数設置されている。図２の井戸１３の周りの破線は、注入された乳化植物油が拡散する様子を示したものである。
【００２９】
注入井戸１３の数や深さは、浄化壁１２の幅、距離、深さによって適宜調整することができる。注入井戸１３に乳化植物油を注入することにより、注入井戸１３から乳化植物油が拡散し、浄化壁１２に対して乳化植物油を供給することができる。注入井戸１３は単数設けても複数設けても良いが、注入井戸１３から拡散される乳化植物油は、たとえば乳化植物油の拡散範囲１４で示すように、浄化壁１２全てをカバーするものであることが好ましい。その結果、浄化壁１２に混入されているシアン化合物処理剤に含まれる鉄の、鉄イオンの供給能力を回復することができる。なお、乳化植物油とともに、たとえば硫酸鉄などの水溶性の鉄を注入することによって、浄化壁１２に対して鉄を供給することもできる。
【００３０】
上流側に井戸を設けるのではなく、浄化壁１２内に注入井戸を立て込んでおいてもよい。この場合、浄化壁１２に対して直接乳化植物油を注入することができるため、鉄が存在する領域およびその付近を確実に還元雰囲気にできる。
【実施例】
【００３１】
次に、実施例により本発明を説明するが、本発明の範囲はこれらの実施例に限定されるものではない。
【００３２】
＜試験方法の概略＞
（１）浄化設備として、シアン化合物処理剤が混入された浄化壁を用いたケースを想定した。また、浄化壁を模するものとして、シアン化合物処理剤を充填したカラムを用いた。概略図を図３に示したので、これに基づいて説明する。
【００３３】
（２）カラムは、内径５ｃｍ、長さ２０ｃｍのシアン化合物処理剤充填層２５を有するカラム３１、または、内径５ｃｍ、長さ９０ｃｍのシアン化合物処理剤充填層２５を有するカラム３３のいずれかを用いる。なお、充填層内のシアン化合物処理剤の流出を防止するため、充填層の両端には、充填層からみて順に、数ｃｍ程度のガラスビーズ層２６、および栓２７を用いて封をした。いずれのカラムを用いるかについては、後述する各実施例において明示する。
【００３４】
（３）シアン化合物で汚染された水を摸するものとして、水にフェロシアンカリウム（三水和物）を添加してなるフェロシアン水溶液２４を用いた。なお、フェロシアン水溶液２４のシアン濃度（全シアン濃度を指す、以下同じ。）は、１ｍｇ／Ｌである。
【００３５】
（４）フェロシアン水溶液２４は、第１管路２１を通じて、定量ポンプ２８へと運ばれ、定量ポンプ２８から、第２管路２２を通じて、浄化壁を模したカラム３１または３３に通水される。なお、フェロシアン水溶液２４の通水速度は、定量ポンプ２８によって、０．５〜２ｍＬ／分に制御される。
【００３６】
（５）カラムを通水した後のフェロシアン水溶液２４は、第３管路２３を通じて、サンプリング容器２９へ運ばれる。
【００３７】
（６）サンプリング容器２９へ運ばれたフェロシアン水溶液２４の通水量（以下、単に「通水量」とする）と、サンプリング容器２９内にたまった水のシアン濃度およびｐＨを、約１週間に１度、測定した。なお、シアン濃度の測定は、ＪＩＳ  Ｋ０１０２（工場排水試験方法）の蒸留−ピリジン酸吸光光度法により行った。
【００３８】
（判定基準について）
「地下水の水質汚濁に係る環境基準について（環境庁告示）」で定められたシアン環境基準値である０．１ｍｇ／Ｌ（定量限界値）を上回る直前までの通水量を、「シアン環境基準値を満足できた通水量」とする。なお、カラムを通水した直後のフェロシアン水溶液は、シアン濃度の値が不安定であることから、「シアン環境基準値を満足できた通水量」の判定は、フェロシアン水溶液の通水量が５０Ｌに達した後に行うものとする。なお、上記フェロシアンの水溶液シアン濃度の値が不安定である理由としては、カラムの吸着力が安定しない等の理由が考えられる。
【００３９】
（実施例１）
鉄粉５６ｇ、乳化植物油（ホイップクリーム状）２．０ｇ、および珪砂５６０ｇからなるシアン化合物処理剤を、カラム３１に充填した。その後、フェロシアン水溶液をカラム３１に通水させ、サンプリング容器２９へ運ばれたフェロシアン水溶液２４に対して、上記通水量、および濃度測定を行った。
【００４０】
（比較例１）
鉄粉５６ｇ、珪砂５６０ｇを、カラム３１に充填した。その後、フェロシアン水溶液をカラム３１に通水させ、サンプリング容器２９へ運ばれたフェロシアン水溶液２４に対して、上記通水量、および濃度測定を行った。
【００４１】
実施例２は、乳化植物油と硫酸第一鉄とを、浄化壁へ向けて定期的に注入井戸などから注入する構成を想定したものである。
【００４２】
（実施例２）
山砂を充填したカラム３３に、乳化植物油（クロロクリンＬ  株式会社大林組社製）４．２ｇおよび硫酸第一鉄２．５ｇを注入した（図示しない）。その後、フェロシアン水溶液をカラム３３に通水させ、サンプリング容器２９へ運ばれたフェロシアン水溶液２４に対して、上記通水量、および濃度測定を行った。
【００４３】
（比較例２）
山砂を充填したカラム３３に、硫酸第一鉄２．５ｇを注入した（図示しない）。その後、フェロシアン水溶液をカラム３３に通水させ、サンプリング容器２９へ運ばれたフェロシアン水溶液２４に対して、上記通水量、および濃度測定を行った。
【００４４】
＜実験結果＞
実験結果を図４−図７に示す。図４−図７のグラフについて、ｘ軸は通水量（Ｌ）であり、ｙ軸はシアン濃度（ｍｇ／Ｌ）である。
【００４５】
図４に示した通り、乳化植物油を含有する実施例１は、通水量約１５０Ｌで通水を終了したが、通水の終了に至るまで、シアン濃度の上昇がほぼ見られなかった。
【００４６】
これに対して、図５に示した通り、乳化植物油を含有しない比較例１は、通水量３０〜１１０Ｌまでシアン環境基準値を下回ったものの、通水量１１０Ｌを超えた段階で、シアン環境基準値を超えた。
【００４７】
図６に示した通り、乳化植物油を含有する実施例２は、通水量約５５Ｌを超えるまで、シアン濃度の上昇がほぼ見られなかったが、その後急激にシアン濃度が上昇し、通水量約７５Ｌでシアン環境基準値を超えた。しかしながら、実際は、乳化植物油は、先に述べたような方法で追加注入できるため、シアン吸着性能を保ち続けることができる。
【００４８】
これに対して、図７に示した通り、乳化植物油を含有しない比較例２は、通水量約３５Ｌを超えたあたりから急激にシアン濃度が上昇し、通水量４０Ｌを少し超えた時点でシアン環境基準値を超えた。その後もシアン濃度の上昇は続き、通水量約５０Ｌに達する前に、フェロシアン水溶液３４のシアン濃度である１ｍｇ／Ｌとなった。
【符号の説明】
【００４９】
１・・・シアン化合物によって汚染された地下水
２・・・浄化壁
３・・・浄化された清浄な地下水
５・・・工場敷地内
７・・・工場敷地外
１１・・・地下水の流れ
１２・・・浄化壁
１３・・・注入井戸
１４・・・乳化植物油の拡散範囲
２１・・・第１管路
２２・・・第２管路
２３・・・第３管路
２４・・・フェロシアン水溶液
２５・・・シアン化合物処理剤充填層
２６・・・ガラスビーズ層
２７・・・栓
２８・・・定量ポンプ
２９・・・サンプリング容器
３１・・・内径５ｃｍ、長さ２０ｃｍのシアン化合物処理剤充填層を有するカラム
３３・・・内径５ｃｍ、長さ９０ｃｍのシアン化合物処理剤充填層を有するカラム
【図１】
2019198841.tif 000003
【図２】
2019198841.tif 000004
【図３】
2019198841.tif 000005
【図４】
2019198841.tif 000006
【図５】
2019198841.tif 000007
【図６】
2019198841.tif 000008
【図７】
2019198841.tif 000009